【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
アカウント情報に関連づいたユーザ情報を格納する格納手段と、
前記格納手段により格納されたユーザ情報に基づき、カスタマイズ情報を作成する作成手段と
を備え、
デバイスから受信したアカウント情報に基づく検証の結果をディレクトリサーバから受信すると、該アカウント情報に対応する前記作成手段により作成されたカスタマイズ情報を該デバイスに送信する
ことを特徴とする認証エージェント。
【請求項２】
前記格納手段は、複数のアカウント情報と対応づいたグループに関連付けて前記ユーザ情報を格納することを特徴とする請求項１に記載の認証エージェント。
【請求項３】
前記作成手段は、前記ディレクトリサーバから受信した情報と前記格納手段により格納されたユーザ情報とに基づき、カスタマイズ情報を作成することを特徴とする請求項１又は２に記載の認証エージェント。
【請求項４】
デバイスと認証エージェントとからなり、
前記デバイスは、
アカウント情報を取得するアカウント情報取得手段と、
カスタマイズ情報に基づいてカスタマイズを行うカスタマイズ手段と
を有し、
前記認証エージェントは、
アカウント情報とユーザ情報とを関連付けて格納する格納手段と、
前記格納手段により格納されたユーザ情報に基づき、カスタマイズ情報を作成する作成手段と
を有し、
前記デバイスは、前記アカウント情報取得手段により取得したアカウント情報を前記認証エージェントへ送信し、
前記認証エージェントは、前記デバイスから受信したアカウント情報に基づく検証の結果をディレクトリサーバから受信すると、該アカウント情報に対応する前記作成手段により作成されたカスタマイズ情報を該デバイスに送信し、
前記デバイスは、前記認証エージェントから受信したカスタマイズ情報に基づいて前記カスタマイズ手段によりカスタマイズを行う
ことを特徴とするデバイスカスタマイズシステム。
【請求項５】
デバイスと認証エージェントとディレクトリサーバからなり、
前記デバイスは、
アカウント情報を取得するアカウント情報取得手段と、
カスタマイズ情報に基づいてカスタマイズを行うカスタマイズ手段と
を有し、
前記認証エージェントは、
アカウント情報とユーザ情報とを関連付けて格納する格納手段と、
前記格納手段により格納されたユーザ情報に基づき、カスタマイズ情報を作成する作成手段と
を有し、
前記ディレクトリサーバは、
アカウント情報を検証する検証手段
を有し、
前記デバイスは、前記アカウント情報取得手段により取得したアカウント情報を前記認証エージェントへ送信し、
前記認証エージェントは、前記デバイスから受信したアカウント情報を前記ディレクトリサーバへ送信し、
前記ディレクトリサーバは、前記認証エージェントから受信したアカウント情報を前記検証手段により検証し、該検証の結果を該認証エージェントへ送信し、
前記認証エージェントは、前記デバイスから受信したアカウント情報に基づく検証の結果を前記ディレクトリサーバから受信すると、該アカウント情報に対応する前記作成手段により作成されたカスタマイズ情報を該デバイスに送信する
ことを特徴とするデバイスカスタマイズシステム。
【請求項６】
アカウント情報に関連づいたユーザ情報を格納する格納処理と、
前記格納処理により格納されたユーザ情報に基づき、カスタマイズ情報を作成する作成処理と
をコンピュータに実行させ、
デバイスから受信したアカウント情報に基づく検証の結果をディレクトリサーバから受信すると、該アカウント情報に対応する前記作成処理により作成されたカスタマイズ情報を該デバイスに送信する
ことを特徴とする認証エージェントプログラム。
【手続補正２】
【補正対象書類名】明細書
【補正対象項目名】発明の名称
【補正方法】変更
【補正の内容】
【発明の名称】認証エージェント、デバイスカスタマイズシステム、認証エージェントプログラム
【手続補正３】
【補正対象書類名】明細書
【補正対象項目名】０００１
【補正方法】変更
【補正の内容】
【０００１】
本発明は、認証エージェント、デバイスカスタマイズシステム、認証エージェントプログラムに関し、特に、デバイスのＵＩなどをユーザに応じてカスタマイズする認証エージェント、デバイスカスタマイズシステム、認証エージェントプログラムに関する。
【手続補正４】
【補正対象書類名】明細書
【補正対象項目名】０００４
【補正方法】変更
【補正の内容】
【０００４】
そこで本発明は、デバイス毎の環境や設定の違いを意識することなく、ユーザが任意のデバイスを利用することが可能な認証エージェント、デバイスカスタマイズシステム、認証エージェントプログラムを提供することを目的とする。
【手続補正５】
【補正対象書類名】明細書
【補正対象項目名】０００５
【補正方法】変更
【補正の内容】
【０００５】
請求項１の発明は、アカウント情報に関連づいたユーザ情報を格納する格納手段と、前記格納手段により格納されたユーザ情報に基づき、カスタマイズ情報を作成する作成手段とを備え、デバイスから受信したアカウント情報に基づく検証の結果をディレクトリサーバから受信すると、該アカウント情報に対応する前記作成手段により作成されたカスタマイズ情報を該デバイスに送信することを特徴とする。
【手続補正６】
【補正対象書類名】明細書
【補正対象項目名】０００６
【補正方法】変更
【補正の内容】
【０００６】
請求項２の発明は、請求項１の発明において、前記格納手段は、複数のアカウント情報と対応づいたグループに関連付けて前記ユーザ情報を格納することを特徴とする。
【手続補正７】
【補正対象書類名】明細書
【補正対象項目名】０００７
【補正方法】変更
【補正の内容】
【０００７】
請求項３の発明は、請求項１又は２の発明において、前記作成手段は、前記ディレクトリサーバから受信した情報と前記格納手段により格納されたユーザ情報とに基づき、カスタマイズ情報を作成することを特徴とする。
【手続補正８】
【補正対象書類名】明細書
【補正対象項目名】０００８
【補正方法】変更
【補正の内容】
【０００８】
請求項４の発明は、デバイスと認証エージェントとからなり、前記デバイスは、アカウント情報を取得するアカウント情報取得手段と、カスタマイズ情報に基づいてカスタマイズを行うカスタマイズ手段とを有し、前記認証エージェントは、アカウント情報とユーザ情報とを関連付けて格納する格納手段と、前記格納手段により格納されたユーザ情報に基づき、カスタマイズ情報を作成する作成手段とを有し、前記デバイスは、前記アカウント情報取得手段により取得したアカウント情報を前記認証エージェントへ送信し、前記認証エージェントは、前記デバイスから受信したアカウント情報に基づく検証の結果をディレクトリサーバから受信すると、該アカウント情報に対応する前記作成手段により作成されたカスタマイズ情報を該デバイスに送信し、前記デバイスは、前記認証エージェントから受信したカスタマイズ情報に基づいて前記カスタマイズ手段によりカスタマイズを行うことを特徴とする。
【手続補正９】
【補正対象書類名】明細書
【補正対象項目名】０００９
【補正方法】変更
【補正の内容】
【０００９】
請求項５の発明は、デバイスと認証エージェントとディレクトリサーバからなり、前記デバイスは、アカウント情報を取得するアカウント情報取得手段と、カスタマイズ情報に基づいてカスタマイズを行うカスタマイズ手段とを有し、前記認証エージェントは、アカウント情報とユーザ情報とを関連付けて格納する格納手段と、前記格納手段により格納されたユーザ情報に基づき、カスタマイズ情報を作成する作成手段とを有し、前記ディレクトリサーバは、アカウント情報を検証する検証手段を有し、前記デバイスは、前記アカウント情報取得手段により取得したアカウント情報を前記認証エージェントへ送信し、前記認証エージェントは、前記デバイスから受信したアカウント情報を前記ディレクトリサーバへ送信し、前記ディレクトリサーバは、前記認証エージェントから受信したアカウント情報を前記検証手段により検証し、該検証の結果を該認証エージェントへ送信し、前記認証エージェントは、前記デバイスから受信したアカウント情報に基づく検証の結果を前記ディレクトリサーバから受信すると、該アカウント情報に対応する前記作成手段により作成されたカスタマイズ情報を該デバイスに送信することを特徴とする。
【手続補正１０】
【補正対象書類名】明細書
【補正対象項目名】００１０
【補正方法】変更
【補正の内容】
【００１０】
請求項６の発明は、アカウント情報に関連づいたユーザ情報を格納する格納処理と、前記格納処理により格納されたユーザ情報に基づき、カスタマイズ情報を作成する作成処理とをコンピュータに実行させ、デバイスから受信したアカウント情報に基づく検証の結果をディレクトリサーバから受信すると、該アカウント情報に対応する前記作成処理により作成されたカスタマイズ情報を該デバイスに送信することを特徴とする。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】